【事件の表示】
　特許第６４５１７４３号発明「揮発性有機物質用消臭剤及びこれを用いた消臭性加工品、並びに揮発性有機物質用消臭剤及び消臭性加工品の製造方法」の特許異議申立事件について、次のとおり決定する。
【結　論】
　特許第６４５１７４３号の特許請求の範囲を訂正請求書に添付された訂正特許請求の範囲のとおり、訂正後の請求項〔１〜３〕、４、５について訂正することを認める。
　特許第６４５１７４３号の請求項１〜５に係る特許を維持する。
【理　由】
第１　手続の経緯
　特許第６４５１７４３号（以下、「本件特許」という。）に係る出願は、２０１５年（平成２７年）１０月　５日（優先権主張　平成２６年１０月３１日　日本国（ＪＰ））を国際出願日として特許出願され、平成３０年１２月２１日にその請求項１〜５に係る発明について特許権の設定登録がされ、平成３１年　１月１６日に特許掲載公報が発行され、その後、全請求項に係る特許に対して、令和　１年　７月　１日付けで特許異議申立人瀬川　忠世（以下、「申立人」という。）により、甲第１〜２号証、参考資料１を添付して特許異議の申立てがされ、同年１０月　１日付けで当審より取消理由が通知され、その指定期間内である同年１１月２８日付けで、特許権者より乙第２号証を添付した意見書（以下、「意見書」という。）の提出並びに乙第１号証を添付した訂正の請求（以下、「本件訂正請求」という。）がされ、これに対し、申立人に意見を求めたが、期間内に何らの応答もなされなかったものである。
第２　本件訂正請求による訂正の適否
１　訂正の内容 
　本件訂正請求による訂正（以下、「本件訂正」という。）は、以下の訂正事項からなる（当審注：下線は訂正箇所であり、当審が付与した。）。
（１）訂正事項１
　本件訂正前の特許請求の範囲の請求項１に
「揮発性有機物質用消臭剤。」
と記載されているのを、
「
沸点が０℃〜２６０℃である
と訂正する（請求項１の記載を直接的又は間接的に引用する請求項２、３も同様に訂正する。）。
（２）訂正事項２
　本件訂正前の特許請求の範囲の請求項１に
「ｚは１〜２０の正数である。」
と記載されているのを、
「ｚは
吸着水及び結晶水を含む前記ゼオライトに含まれる水の量を表し、かつ
と訂正する（請求項１の記載を直接的又は間接的に引用する請求項２、３も同様に訂正する。）。
（３）訂正事項３
　本件訂正前の特許請求の範囲の請求項４に
「揮発性有機物質用消臭剤の製造方法。」
と記載されているのを、
「
沸点が０℃〜２６０℃である
と訂正する。
（４）訂正事項４
　本件訂正前の特許請求の範囲の請求項４に
「ｚは１〜２０の正数である。」
と記載されているのを、
「ｚは
吸着水及び結晶水を含む前記ゼオライトに含まれる水の量を表し、かつ
と訂正する。
（５）訂正事項５
　本件訂正前の請求項５に
「式〔１〕で示されるゼオライトを製造後、加工前に該ゼオライトを１２０℃から２５０℃の温度で加熱処理して、樹脂、繊維、塗料又はシートに配合することを特徴とする消臭性加工品の製造方法。」
と記載されているのを、
「式〔１〕で示されるゼオライトを製造後、加工前に該ゼオライトを１２０℃から２５０℃の温度で加熱処理して、樹脂、繊維、塗料又はシートに配合することを特徴とする消臭性加工品の製造方法。
　
ｘＮａ２Ｏ・Ａｌ２Ｏ３・ｙＳｉＯ２・ｚＨ２Ｏ    〔１〕
  
式〔１〕中、ｘは０．５〜５．０の正数であり、ｙは９５〜１２０の正数であり、ｚは吸着水及び結晶水を含む前記ゼオライトに含まれる水の量を表し、かつ１〜２０の正数である。
と訂正する。
　本件訂正前の請求項２，３は、いずれも訂正前の請求項１を引用するものであるから、本件訂正前の請求項１〜３は一群の請求項であり、本件訂正前の請求項４、５は他の請求項を引用しない独立請求項である。
　そして、本件訂正は、請求項間の引用関係の解消を目的とするものではなく、特定の請求項に係る訂正事項について別の訂正単位とする求めもないから、本件訂正請求は、訂正後の請求項〔１〜３〕、４、５を訂正単位とする訂正の請求をするものである。 
２　訂正の目的の適否、新規事項及び特許請求の範囲の拡張・変更の存否
（１）訂正事項１及び３について
（ア）訂正事項１及び３による訂正は、いずれも、「揮発性有機物質」を、「沸点が０℃〜２６０℃である」ものに限定するものであるから、特許法第１２０条の５第２項ただし書第１号に規定する特許請求の範囲の減縮を目的とするものである。
（イ）そして、願書に添付した明細書の【００１４】には、「本発明に係る消臭剤の吸着対象はＶＯＣであり、沸点で０℃〜２６０℃程度の有機物である。」と記載されているから、訂正事項１及び３の訂正は、願書に添付した明細書、又は特許請求の範囲に記載した事項の範囲内の訂正であり、カテゴリーや対象、目的を変更するものではないから、特許請求の範囲を拡張し、又は変更するものには該当しない。
（２）訂正事項２及び４について
（ア）訂正事項２及び４による訂正は、いずれも、本件訂正前の「式〔１〕」中の「ｚ」が、結晶水の含有割合を意味するのか、ゼオライト表面の微量水（吸着水）の量を意味するのかが不明確であったのを、「吸着水及び結晶水を含む前記ゼオライトに含まれる水の量を表」すものとして、「ｚ」の意味を明らかにするものであるから、特許法第１２０条の５第２項ただし書第３号に規定する明瞭でない記載の釈明を目的とするものである。
（イ）そして、願書に添付した明細書の【００５１】〜【００５７】には、以下の記載（Ａ）がある（当審注：下線は当審が付与した。また、「・・・」は記載の省略を表す。以下、同様である。）。
（Ａ）「【００５１】
２．消臭剤の製造
＜比較例１、２、４、５＞
　
水酸化ナトリウムとアルミン酸ナトリウムの混合水溶液と、コロイダルシリカゾル液をテトラプロピルアンモニウムブロマイド（ＴＰＡＢｒ）に滴下して水性混合物を調製した。なお、各原料の使用量は、表２のモル組成比となるように調整した。得られた水性混合物をオートクレーブに移し、１７０℃で６０時間加熱することで、比較例１、２、４及び５のゼオライトを合成した。
・・・
【００５４】
　得られたゼオライトは、いずれも結晶質粒子であることを粉末Ｘ線回析測定の結果から確認した。各組成比１〜５の合成母液から得られたゼオライトを比較例１〜５とし、その組成を金属含有量の分析で求めたところ、以下のようであった。
  比較例１：  ２．１Ｎａ２Ｏ・Ａｌ２Ｏ３・９８ＳｉＯ２・２８Ｈ２Ｏ
  比較例２：  １．５Ｎａ２Ｏ・Ａｌ２Ｏ３・１１３ＳｉＯ２・４４Ｈ２Ｏ
  比較例３：  １．２ＮＨ４・０．２Ｎａ２Ｏ・Ａｌ２Ｏ３・９７ＳｉＯ２・２５Ｈ２Ｏ
  比較例４：  ２．６Ｎａ２Ｏ・Ａｌ２Ｏ３・４２ＳｉＯ２・２０Ｈ２Ｏ
  比較例５：  ０．９Ｎａ２Ｏ・Ａｌ２Ｏ３・２２２ＳｉＯ２・１５Ｈ２Ｏ
  また、これらゼオライトの粒度分布を測定した結果、表３の通りであった。
・・・
【００５６】
＜実施例１〜４＞
　
比較例１及び２のゼオライトを各々１２０℃で６時間加熱し、実施例１及び実施例２の消臭剤を得た。また、比較例１及び２のゼオライトを各々１８０℃で３時間加熱し、実施例３及び実施例４の消臭剤を得た。
  実施例１：  ２．０Ｎａ２Ｏ・Ａｌ２Ｏ３・９９ＳｉＯ２・１０Ｈ２Ｏ
  実施例２：  １．５Ｎａ２Ｏ・Ａｌ２Ｏ３・１１４ＳｉＯ２・１８Ｈ２Ｏ
  実施例３：  ２．２Ｎａ２Ｏ・Ａｌ２Ｏ３・９８ＳｉＯ２・９Ｈ２Ｏ
  実施例４：  １．６Ｎａ２Ｏ・Ａｌ２Ｏ３・１１４ＳｉＯ２・７Ｈ２Ｏ」
　前記（Ａ）によれば、比較例１及び２のゼオライトを各々１２０℃で６時間加熱し、実施例１及び実施例２の消臭剤を得た場合、比較例１の「２８Ｈ２Ｏ」は実施例１の「１０Ｈ２Ｏ」となり、比較例２の「４４Ｈ２Ｏ」は、実施例２の「１８Ｈ２Ｏ」となるものであり、比較例１及び２のゼオライトを各々１８０℃で３時間加熱し、実施例３及び実施例４の消臭剤を得た場合、比較例１の「２８Ｈ２Ｏ」は実施例３の「９Ｈ２Ｏ」となり、比較例２の「４４Ｈ２Ｏ」は実施例４の「７Ｈ２Ｏ」となるものであり、実施例１〜４のゼオライトは、比較例１、２のゼオライトから、前記加熱によって「Ｈ２Ｏ」の一部が脱水されて得られるものであると解される。
（ウ）また、参考資料１（後記第４参照。）には、以下の記載（Ｂ）、（Ｃ）がある。
（Ｂ）「分析事例の紹介
　Ｎａ−Ａ型ゼオライトを例として脱水挙動を解析した結果を紹介します。
（１）ＴＧ−ＤＴＡ
　脱水挙動を調べるため、ＴＧ−ＤＴＡで５００℃まで測定を行いました。図１に示すように吸熱ピーク（ＤＴＡ）を伴う脱水による２段の減量が確認されました。
室温〜２５０℃の１８ｗｔ％減量は、細孔内に取り込まれた吸着水、２５０℃〜５００℃の３ｗｔ％減量は、Ｎａイオンやゼオライト骨格に強く結合した水（結晶水）と考えられます。
（Ｃ）「
　　　　　　　　　　　　　　　　　　　　　　」（１／１頁）
　前記（Ｂ）、（Ｃ）によれば、ゼオライトにおいては、室温〜２５０℃では細孔内に取り込まれた吸着水が脱水され、２５０℃以上では結晶水が脱水されるという挙動が理解できるものである。
（エ）更に、特許権者が意見書に添付した乙第２号証である、浜田美穂ら，「誘導結合プラズマ発光分光分析及びＸ線マイクロアナライザーによる含水鉱物の全分析」，ＢＵＮＳＥＫＩ　ＫＡＧＡＫＵ，Ｖｏｌ．３１，１９８２年，ｐ．Ｔ６１−Ｔ６４には、以下の記載（Ｄ）、（Ｅ）がある。
（Ｄ）「含水鉱物，特に水を多量に含む沸石類や粘土鉱物は，含水量の個体差が大きく，組成式決定の上で問題となってきた．ことに沸石類ではいわゆるゼオライト水の存在により，組成式の決定にはかなりの問題があった．又，一般にこのような試料では，微少量で全分析を要求されることが多い．そこで誘導結合プラズマ（ＩＣＰ）発光分光分析法による，少量試料を用いたケイ素をも含めた多元素同時分析，及びＸ線マイクロアナライザー（ＥＰＭＡ）による酸素をも含めた全分析を行い，その結果の比較検討を行った．
　ＥＰＭＡは，微小領域の分析法として現在最も広く用いられ，信頼性の高い方法であるが，軽元素については適当な吸収補正法が知られていなかった．著者らは新しい吸収補正法を提案し，軽元素である酸素もよい正確さで定量しうることを示したが１），
本研究ではそれを用いて全酸素量より水を定量した．
（Ｅ）「
水については，ＩＣＰでは熱分析，ＥＰＭＡでは酸素の分析値から金属に結合する酸素の値を差し引いて求めたのであるが，
　前記（Ｄ）、（Ｅ）によれば、含水鉱物に含まれる水の量は、例えばＥＰＭＡにより、酸素の分析値から金属に結合する酸素の値を差し引いて求められるのであり、このことは本件特許の優先日における技術常識といえるが、その場合、吸着水の量と結晶水の量とが合わせて求められると推認される。
（オ）そして、前記（イ）によれば、実施例１〜４のゼオライトは、比較例１、２のゼオライトから１２０℃または１８０℃の加熱によって「Ｈ２Ｏ」の一部が脱水されて得られるものである一方、前記（ウ）によれば、１２０℃や１８０℃の加熱においては、吸着水の一部が脱水され、結晶水は脱水されないから、実施例１〜４のゼオライトは、吸着水及び結晶水を含むものとして理解するのが自然なことである。
　さらに、前記（エ）によれば、含水鉱物に含まれる水の量をＥＰＭＡにより求めることは本件特許の優先日における技術常識といえるが、その場合、吸着水の量と結晶水の量とが合わせて求められると推認されるのであって、このことと、実施例１〜４のゼオライトが吸着水及び結晶水を含むものと理解するのが自然なことであることからみれば、本件訂正前の「式〔１〕」中の「ｚ」が「吸着水及び結晶水を含む前記ゼオライトに含まれる水の量を表」すことは、願書に添付した明細書の記載及び技術常識から明らかといえる。
（カ）してみれば、訂正事項２及び４は、願書に添付した明細書、又は特許請求の範囲に記載した事項の範囲内の訂正といえ、また、カテゴリーや対象、目的を変更するものではないから、特許請求の範囲を拡張し、又は変更するものには該当しない。
（３）訂正事項５について
（ア）訂正事項５による訂正は、本件訂正前の請求項５に「式〔１〕」が記載されておらず、記載が明瞭でなかったのを、「式〔１〕」が記載されるものとするものであるから、特許法第１２０条の５第２項ただし書第３号に規定する明瞭でない記載の釈明を目的とするものである。
（イ）また、願書に添付した明細書の【００１０】、【００１５】、【００２６】には、以下の記載がある。
「【００１０】
１．消臭剤
　
本発明の消臭剤は、下記式〔１〕で示されるゼオライトを含み、前記ゼオライトは、ゼオライトを製造後に１２０℃以上の温度で加熱処理して得られたものであることを特徴とする。
　　
ｘＮａ２Ｏ・Ａｌ２Ｏ３・ｙＳｉＯ２・ｚＨ２Ｏ    〔１〕
　式〔１〕において、ｘは０．５〜５．０の正数であり、ｙは８０〜１５０の正数であり、ｚは１〜２０の正数である。
　以下に、本発明の構成成分について、具体的に説明する。」
「【００１５】
（２）消臭剤の製造方法
　
本発明の消臭剤の製造方法は、ゼオライトを製造する製造工程（以下、単に「製造工程」ともいう。）と、製造工程で得られたゼオライトを１２０℃以上の温度で加熱し、式〔１〕で表されるゼオライトを得る加熱工程（以下、単に「加熱工程」ともいう。）と、をこの順に含む。
　以下、上記各工程について説明する。」
「【００２６】
３．消臭性加工品
　本発明の消臭剤は、粉末又は顆粒でそのままカートリッジなどの容器に入れた最終消臭製品として使用でき、室内や室外の悪臭発生源の近傍などに静置しておくことでその効果を発揮することができる。更に、
本発明の消臭剤は、以下に詳述するように樹脂、繊維、塗料又はシートなどに配合し、消臭性加工品を製造するために利用できる。消臭性加工品を製造する場合には、加工前にゼオライトを１２０℃以上の温度で加熱処理し、樹脂、繊維、塗料又はシートなどに配合することが好ましい。
（ウ）そして、前記（イ）によれば、願書に添付した明細書には、本件特許に係る「消臭性加工品の製造方法」は、ゼオライトを製造する製造工程により製造されたゼオライトを１２０℃以上の温度で加熱処理して得られた、「式〔１〕」で示されるゼオライトを、加工前に１２０℃以上の温度で加熱処理して樹脂、繊維、塗料又はシートに配合するものであることが記載されているから、「式〔１〕」で示されるゼオライトを製造後、加工前に該ゼオライトを１２０℃から２５０℃の温度で加熱処理して、樹脂、繊維、塗料又はシートに配合することが記載されているといえる。
　更に、本件訂正前の「式〔１〕」中の「ｚ」が「吸着水及び結晶水を含む前記ゼオライトに含まれる水の量を表」すものであることは、願書に添付した明細書の記載及び技術常識から自明の事項といえることは、前記（２）（オ）に記載のとおりであるから、訂正事項５は、願書に添付した明細書、又は特許請求の範囲に記載した事項の範囲内の訂正といえ、また、カテゴリーや対象、目的を変更するものではないから、特許請求の範囲を拡張し、又は変更するものには該当しない。
　なお、本件訂正請求においては、全ての請求項に対して特許異議の申立てがされているので、特許法第１２０条の５第９項において読み替えて準用する同法第１２６条第７項の規定は適用されない。
３　まとめ
　したがって、本件訂正は、特許法第１２０条の５第２項ただし書第１号及び第３号に掲げる事項を目的とするものに該当し、同法同条第９項で準用する同法第１２６条第５項及び第６項の規定に適合するので、訂正後の請求項〔１〜３〕、４、５について訂正することを認める。
第３　本件特許発明 
　本件訂正が認められることは上記第２に記載のとおりであるので、本件特許の請求項１〜５に係る発明（以下、「本件発明１」〜「本件発明５」といい、まとめて「本件発明」という。）は、本件特許の特許請求の範囲の請求項１〜５に記載された事項により特定される以下のとおりのものと認める。
「【請求項１】
　下記式〔１〕で示されるゼオライトを含むことを特徴とする沸点が０℃〜２６０℃である揮発性有機物質用消臭剤。
　　ｘＮａ２Ｏ・Ａｌ２Ｏ３・ｙＳｉＯ２・ｚＨ２Ｏ     〔１〕
　式〔１〕中、ｘは０．５〜５．０の正数であり、ｙは９５〜１２０の正数であり、ｚは吸着水及び結晶水を含む前記ゼオライトに含まれる水の量を表し、かつ１〜２０の正数である。
【請求項２】
　請求項１に記載の揮発性有機物質用消臭剤と、塩基性ガス消臭剤及び硫黄性ガス消臭剤の少なくとも一方とを含有する消臭剤組成物。
【請求項３】
　請求項１に記載の揮発性有機物質用消臭剤を含む消臭性加工品。
【請求項４】
　ゼオライトを製造する製造工程と、
　製造工程で得られたゼオライトを１２０℃から２５０℃の温度で加熱し、式〔１〕で表されるゼオライトを得る加熱工程と、をこの順に含むことを特徴とする沸点が０℃〜２６０℃である揮発性有機物質用消臭剤の製造方法。
　　ｘＮａ２Ｏ・Ａｌ２Ｏ３・ｙＳｉＯ２・ｚＨ２Ｏ     〔１〕
　式〔１〕中、ｘは０．５〜５．０の正数であり、ｙは９５〜１２０の正数であり、ｚは吸着水及び結晶水を含む前記ゼオライトに含まれる水の量を表し、かつ１〜２０の正数である。
【請求項５】
　式〔１〕で示されるゼオライトを製造後、加工前に該ゼオライトを１２０℃から２５０℃の温度で加熱処理して、樹脂、繊維、塗料又はシートに配合することを特徴とする消臭性加工品の製造方法。
　　ｘＮａ２Ｏ・Ａｌ２Ｏ３・ｙＳｉＯ２・ｚＨ２Ｏ     〔１〕
　式〔１〕中、ｘは０．５〜５．０の正数であり、ｙは９５〜１２０の正数であり、ｚは吸着水及び結晶水を含む前記ゼオライトに含まれる水の量を表し、かつ１〜２０の正数である。」
第４　異議申立理由の概要
　申立人は、証拠として甲第１〜２号証及び参考資料１を提出し、以下の異議申立理由によって、本件訂正前の請求項１〜５に係る発明の特許を取り消すべきものである旨を主張している。
　甲第１号証：特開２００９−４０９９８号公報
　甲第２号証：特開平１−１７１５５４号公報
　参考資料１：株式会社東ソー分析センタ−，「【技術資料】ゼオライトの加熱脱水解析」，技術レポートＮｏ．Ｔ１５０１，２０１５．０４．０６
１　特許法第３６条第６項第１号、第２号、第４項第１号について
（１）「式〔１〕」について
　本件訂正前の請求項１に係る発明の「式〔１〕」中の「Ｈ２Ｏ」は当然結晶水であり、「ｚ」は結晶水量を示すものであるが、本件特許明細書の記載をみると、「式〔１〕」中の「ｚ」は結晶水量を示していない。
　すなわち、本件特許明細書の【００５４】には、１６０℃の加熱で比較例１、２のゼオライトの「Ｈ２Ｏ」が減少することが記載されているが、参考資料１によれば、１６０℃の加熱で除去されるのは吸着水であり、結晶水は、２５０℃以上で脱水されるものであって、１６０℃程度の加熱では除去されないし、オートクレーブ中、１７０℃で６時間加熱して得られた比較例１、２のゼオライトの反応条件よりもマイルドな加熱により結晶水が除去されるものではなく、また、本件特許明細書にはゼオライトの水分量をどのように算出したかも記載されていない。
　そうすると、「式〔１〕」は、結晶水としての「Ｈ２Ｏ」の化学組成を示すものではないから、明らかに誤っているので、本件訂正前の請求項１に係る発明は不明確であり、発明の詳細な説明に記載された発明とはいえないし、発明の詳細な説明が、当業者が本件訂正前の請求項１に係る発明を容易に実施できるように記載されているともいえない。
（２）ゼオライトの骨格構造について
（ア）本件訂正前の請求項１に係る発明においては、ゼオライトの結晶骨格構造が特定されておらず、更に、あらゆる揮発性有機物に対して消臭性を示すものとなっているが、ゼオライトが示す吸着性はその結晶構造に形成されている細孔の形態に依存し、「式〔１〕」の化学組成を有しているに過ぎないゼオライトがあらゆる揮発性有機化合物に対して吸着性を示すはずはなく、本件訂正前の請求項１に係る発明は、揮発性有機化合物に対する吸着性を示さないゼオライトまでも包含する。
（イ）更に、本件特許明細書の実施例ではｎ−ブタン、キシレン、アセトアルデヒドに対する評価はなされているが、実施例で示されている以外の多くの揮発性有機化合物についても吸着性を示すのというのであれば、少なくとも吸着対象の揮発性有機化合物毎に、その結晶骨格構造を特定すべきである。
（ウ）このように、結晶骨格構造が特定されていない点でも、本件訂正前の請求項１に係る発明は不明確であり、発明の詳細な説明に記載された発明とはいえないし、発明の詳細な説明が、当業者が本件訂正前の請求項１に係る発明を容易に実施できるように記載されているともいえない。
　なお、前記（１）、（２）の事項は、本件訂正前の請求項２〜６に係る発明についても同様である。
（３）ゼオライトの製造工程について 
（ア）本件訂正前の請求項４に係る発明におけるゼオライトの製造工程について、一般的にシリカアルミナモル比が９５〜１２０の組成を満たすゼオライトを製造するためには、構造規制剤を使用することが必要であり、最終的には、この構造規制剤を分解して細孔を形成するために６００℃程度の高温で焼成することが必要である。
　そして、本件訂正前の請求項４に係る発明においてゼオライトを１２０〜２５０℃で加熱するのであれば、既に６００℃程度の高温で加熱されたものを更に１２０〜２５０℃の低温で加熱することとなり、１２０〜２５０℃で加熱することの技術的意義が理解できない。
　本件訂正前の請求項４に係る発明におけるゼオライトは、構造規制剤を使用せずに製造されたゼオライトとも考えられるが、本件特許明細書にはそのようなことは記載されていない。
（イ）したがって、本件訂正前の請求項４に係る発明は不明確であり、発明の詳細な説明に記載された発明とはいえない。
　このことは、本件訂正前の請求項５に係る発明についても同様である。
（４）実施例においてゼオライトが製造されていないことについて
（ア）本件特許明細書の比較例１、２のゼオライトは、構造規制剤（テトラプロピルアンモニウムブロマイド）を用いて調製された水性混合物をオートクレーブ中で１７０℃、６０時間加熱することにより得られているが、比較例１、２では構造規制剤を除去するための焼成が行われておらず、したがってゼオライトに特有の細孔は構造規制剤によって閉じられた状態にあり、吸着サイトとして機能する細孔は形成されていないから、比較例１、２はゼオライトではないことが明白である。
（イ）更に、実施例１〜４のゼオライトは、比較例１、２のゼオライトを１２０℃で６時間、あるいは１８０℃で３時間加熱することにより得られるのであるから、ここでも構造規制剤を除去する焼成は行われていない。
　したがって、実施例１〜４も細孔が完全に閉じられており、ゼオライトに特有の細孔は形成されておらず、ゼオライトと称されるものではないことが明白である。
（ウ）したがって、本件特許明細書は、特許法第３６条第４項第１号に規定する要件を満足していない。
２　特許法第２９条第１項第３号または第２項について
（ア）本件訂正前の請求項１、４、５に係る発明は、甲第１号証に記載される発明であるから、本件訂正前の請求項１に係る発明は、特許法第２９条第１項の規定により特許を受けることができない。
（イ）本件訂正前の請求項２、３に係る発明は、甲第１号証に記載される発明と実質的に同一であるか、あるいは、甲第２号証の周知技術により当業者が容易に想到し得る発明であるから、本件訂正前の請求項２、３に係る発明は、特許法第２９条第１項または第２項の規定により特許を受けることができない。
第５　取消理由の概要
　令和　１年１０月　１日付け取消理由通知による取消理由の概要は、以下のとおりである。
１　特許法第３６条第６項第２号（明確性要件）について 
（ア）「式〔１〕」は、ゼオライトの化学組成を示すものであって、通常、「式〔１〕」中の「ｚＨ２Ｏ」は、結晶水の含有比率を「ｚ」により表すものである。 
  
（イ）そして、本件特許明細書の【００５１】〜【００５６】によれば、本件特許明細書には、１２０℃で６時間加熱したり１８０℃で３時間加熱することにより、比較例１、２のゼオライト中の結晶水が減少することが記載されているといえる。 
  
（ウ）ところが、参考資料１によれば、室温〜２５０℃程度の温度においてはＮａ−Ａ型ゼオライト中の結晶水は失われないのであって、前記（イ）の記載事項は、前記参考資料１の記載事項と合致しない。 
（エ）また、本件特許明細書の【００５１】によれば、比較例１、２のゼオライトは、オートクレーブ中、１７０℃で６０時間加熱することにより得られたものであるが、実施例１、２のゼオライトは、それらのゼオライトを、更に１２０℃で６時間加熱することによって得られており、ゼオライトの合成の際の反応温度よりも相当に低温度の加熱により、比較例１、２のゼオライトが有する結晶水が除去されると解釈するのは不合理である。 
  
（オ）更に、本件特許明細書の【００２３】の記載は、ゼオライト製造後、加熱処理により、ゼオライト表面の微量水分が減少することをいうものであり、結晶水が減少することをいうものではないから、前記（イ）の記載事項は、前記【００２３】の記載事項と合致しない。 
  
（カ）してみると、本件訂正前の請求項１に係る発明の「式〔１〕」中の「ｚ」が結晶水の含有割合を意味するのか、ゼオライト表面の微量水（吸着水）の量を意味するのかが不明確である。 
　このことは、同様の発明特定事項を有する本件訂正前の請求項４に係る発明、及び、本件訂正前の請求項１、４に係る発明を直接的又は間接的に引用する本件訂正前の請求項２、３、５に係る発明についても同様である。 
２　特許法第３６条第６項第１号（サポート要件）について 
（ア）本件特許明細書の【０００２】〜【０００６】によれば、本件特許に係る発明は、従来の粉末状吸着剤の、アルデヒド系ガスに特化した吸着剤であること、２００℃程度に加熱することで吸着性能が低下し、更に変色すること、耐熱性に劣るため、樹脂への練り込み加工や高温に曝される用途においては十分な消臭性が得られないこと、といった課題を解決するものであり、ＶＯＣの吸着性能が高く、樹脂に練り込み加工した場合でも消臭性を発現する消臭剤、及び、これを用いた消臭性加工品、並びに当該消臭剤の製造方法、及び、当該消臭性加工品の製造方法を提供することを目的とするものである。 
  
（イ）ここで、ゼオライトは、様々な結晶骨格構造を有するものであり、その吸着特性は、結晶骨格構造に形成される細孔構造や吸着分子の形や極性等、様々な因子により決定されるものであるが、本件訂正前の請求項１に係る発明においては、「揮発性有機物質用消臭剤」に含まれるゼオライトの化学組成が特定されるのみであり、結晶骨格構造が特定されるものではなく、更に、本件発明１においては、消臭の対象となる「揮発性有機物質」の種類が特定されるものでもない。 
　そして、ゼオライトの化学組成のみを特定すれば、結晶骨格構造及び「揮発性有機物質」の種類とは無関係に消臭性が発現すると必ずしもいえるものではない。 
  
（ウ）また、本件特許明細書の【００１６】には、本件発明に係る「揮発性有機物質用消臭剤」におけるゼオライトは、ＭＦＩ型合成ハイシリカゼオライトが好ましいことが記載され、【００５１】〜【００６３】によれば、本件特許明細書において実際に消臭効果が得られるとされるゼオライトは、【００５１】の製造方法で製造された比較例１、２のゼオライトを、【００５６】の加熱処理を施して製造した実施例１〜４のもののみであり、消臭効果があるとされる臭気物質は、ｎ−ブタン、キシレン及びアセトアルデヒドのみである。 
　そして、これらの本件特許明細書の記載に接した当業者は、本件特許に係る発明においてゼオライトの化学組成のみを特定すれば、結晶骨格構造及び「揮発性有機物質」の種類とは無関係に消臭性が発現することを理解できない。 
  
（エ）なお、訂正前の請求項１に係る発明の「揮発性有機物質用消臭剤」は、「式〔１〕で示されるゼオライトを含む」との発明特定事項を有するものであるが、その消臭作用は、専ら「式〔１〕で示されるゼオライト」により発現するべきものであることからみれば、ゼオライトの結晶骨格構造が特定されるものではなく、消臭の対象となる「揮発性有機物質」の種類が少なくとも「ｎ−ブタン、キシレン及びアセトアルデヒド」であることが特定されない訂正前の請求項１に係る発明は、前記（ア）の課題を解決できないものも包含するものであるから、発明の詳細な説明に記載された発明とはいえない。 
　このことは、同様に、ゼオライトの結晶骨格構造が特定されるものではなく、消臭の対象となる「揮発性有機物質」の種類も特定されない本件訂正前の請求項４に係る発明、及び、本件訂正前の請求項１、４に係る発明を直接的又は間接的に引用する本件訂正前の請求項２、３、５に係る発明についても同様である。
  
３　特許法第３６条第４項第１号（実施可能要件）について 
（１）「ｚ」について 
（ア）「式〔１〕」中の「ｚ」が結晶水の含有割合を意味するのか、ゼオライト表面の微量水（吸着水）の量を意味するのかが不明確であることは、前記１（カ）に記載のとおりである。 
　そして、本件特許明細書には、「ｚ」がどのようにして求められるのかも記載されていない。 
  
（イ）してみれば、本件特許明細書の記載に接した当業者は、「ｚ」が結晶水の含有割合を意味するとしても、あるいはゼオライト表面の微量水（吸着水）の量を意味するとしても、当該「ｚ」がどのようにして求められるかを理解できず、「式〔１〕」で示されるゼオライトを製造することができないから、発明の詳細な説明が、当業者が本件訂正前の請求項１に係る発明を容易に実施できるように記載されているとはいえない。 
  
（２）構造規制剤について 
（ア）一般に、シリカアルミナモル比が９５〜１２０の組成を満たすゼオライトを製造するためには、構造規制剤を分解して細孔を形成するために６００℃程度の高温で焼成することが必要である。 
　そして、本件特許明細書の【００５１】によれば、比較例１、２のゼオライトは、水酸化ナトリウムとアルミン酸ナトリウムの混合水溶液、コロイダルシリカゾル液及びテトラプロピルアンモニウムブロマイドを用いて調整された水性混合物をオートクレーブ中で１７０℃、６０時間加熱することにより得られたものであって、【００１６】によれば、テトラプロピルアンモニウムブロマイドは構造規制剤であるが、比較例１、２が多量のＨ２Ｏを有していることからみれば、比較例１、２の製造過程で構造規制剤を除去するための焼成が行われていないことは明らかであるから、比較例１、２において、ゼオライトに特有の細孔は構造規制剤により閉じられた状態にあり、吸着サイトとして機能する細孔が形成されていないことは明らかである。 
　更に、実施例１〜４のゼオライトは、比較例１、２のゼオライトを１２０℃で６時間、あるいは１８０℃で３時間加熱することにより得られたものであるが、１２０℃、１８０℃といった加熱温度は、構造規制剤を分解して細孔を形成する焼成温度である６００℃程度の温度と比較して著しく低いから、ここでも構造規制剤を除去するための焼成の焼成が行われているとはいえない。 
　そうすると、実施例１〜４も、構造規制剤により細孔が完全に閉じられており、ゼオライトに特有の細孔が形成されていないことが明らかであるから、本件特許明細書の記載に接した当業者は、本件発明に係るゼオライトの製造方法を理解することができない。 
  
（イ）なお、ゼオライトの製造の際に、構造規制剤を分解して細孔を形成するために６００℃程度の高温で焼成することは当業者にとって自明の事項であって、比較例１、２でも、構造規制剤を除去するための焼成が当然行われているとも解し得る。 
  
（ウ）そして、その場合、オートクレーブ中、１７０℃で６０時間加熱して水熱合成した後、構造規制剤の分解のために６００℃程度の高温の焼成を経て得られた比較例１、２のゼオライトを１２０℃で６時間加熱した実施例１、２、１８０℃で３時間加熱した実施例３、４のゼオライトは、比較例１、２よりも「Ｈ２Ｏ」が相当に減少するものとなるものである。 
  
（エ）ところが、ゼオライトの合成の際の反応温度よりも相当に低温度の加熱により、比較例１、２のゼオライトが有する結晶水が除去されると解釈するのは不合理であることは、前記１（エ）に記載のとおりである上、更に６００℃程度の高温の焼成を経た比較例１、２のゼオライトにおいて、「Ｈ２Ｏ」がそれぞれ「２８Ｈ２Ｏ」、「４４Ｈ２Ｏ」含まれていたものが、その後の１２０℃での６時間の加熱、１８０℃での３時間の加熱程度で「１０Ｈ２Ｏ」、「１８Ｈ２Ｏ」、「９Ｈ２Ｏ」、「７Ｈ２Ｏ」まで減少すると解釈するのは不合理であるから、前記（イ）の場合でも、本件特許明細書の記載に接した当業者は、本件訂正前の請求項１に係る発明のゼオライトの製造方法を理解することができない。 
  
（オ）前記（ア）〜（エ）によれば、本件特許明細書の記載に接した当業者は、本件訂正前の請求項１に係る発明に係るゼオライトの製造方法を理解できないから、発明の詳細な説明が、当業者が本件訂正前の請求項１に係る発明を容易に実施できるように記載されているとはいえない。
第６　取消理由についての判断
１　特許法第３６条第６項第２号（明確性要件）について 
（ア）本件発明１の「式〔１〕」において、「ｚは吸着水及び結晶水を含む前記ゼオライトに含まれる水の量を表し、かつ１〜２０の正数である」ものである。
　なお、特許権者が訂正請求書に添付した乙第１号証である板橋慶治ら，「ゼオライトの合成とその特性」，東洋曹達研究報告，１９８５年，第２９巻第２号，ｐ．１５３−１５９には、以下の記載（Ｆ）がある。
（Ｆ）「ゼオライトとは結晶性含水アルミノケイ酸塩の総称であり，天然ゼオライトと合成ゼオライトに大別される。その化学組成は一般式Ｍ２／ｎＯ・Ａｌ２Ｏ３・ｘＳｉＯ２・ｙＨ２Ｏ（ｎは陽イオンＭの原子価，ｘは２以上の数，
ｙは吸着水量を表わす
　そして、前記（Ｆ）によれば、ゼオライトの化学組成式における「Ｈ２Ｏ」は、吸着水量を表す場合もあるのであって、通常、結晶水の含有比率を表すものということはできない。
（イ）更に、「式〔１〕」において、「ｚ」を「吸着水及び結晶水を含む前記ゼオライトに含まれる水の量を表」すものとしたとき、比較例１、２及び実施例１〜４のゼオライトの化学組成式の「Ｈ２Ｏ」は吸着水を含むものとなるから、本件発明１の「ｚ」についての発明特定事項は、本件特許明細書の【００５１】〜【００５６】の、比較例１、２のゼオライト中の「Ｈ２Ｏ」の一部が１２０℃で６時間加熱したり１８０℃で３時間加熱することにより脱水される旨の記載（前記第２の２（２）（イ）参照。）、参考資料１の、室温〜２５０℃程度の温度においてはＮａ−Ａ型ゼオライト中の吸着水が脱水され、結晶水は失われない旨の記載（前記第２の２（２）（ウ）参照。）、本件特許明細書の【００２３】の、ゼオライト製造後、加熱処理により、ゼオライト表面の微量水分が減少する旨の記載（後記２（ア）（ｃ）参照。）と合致するので、前記第５の１（ウ）〜（オ）の不合理は生じない。
（ウ）してみれば、本件発明１の「式〔１〕」における「ｚ」の意味は明確であるので、本件発明１は明確であるというべきであり、このことは、本件発明２〜５についても同様である。
　したがって、本件特許に係る出願は、特許法第３６条第６項第２号の規定に適合する。
２　特許法第３６条第６項第１号（サポート要件）について
（ア）本件特許明細書には、以下の記載（ａ）〜（ｃ）がある（当審注：下線は当審が付与した。また、「・・・」は記載の省略を表す。）。
（ａ）「【０００１】
　本発明は、揮発性有機化合物（Volatile Organic Compounds、以下「ＶＯＣ」と略す）の吸着性能が高く、しかも耐熱性のある無機化合物からなる消臭剤、及びこれを用いた消臭性加工品、並びに消臭剤及び消臭性加工品の製造方法に関する。
・・・
【０００５】
　しかしながら、特許文献１〜５に開示されるような粉末状吸着剤は、
アルデヒド系ガスに特化した吸着剤であり、２００℃程度に加熱することで吸着性能が低下し、更に変色するという問題がある。また、耐熱性に劣るため、樹脂への練り込み加工や高温に曝される用途においては十分な消臭性が得られない。
　また、特許文献６に記載の脱臭剤は、ＶＯＣの吸着性能や耐熱性が不明である。特許文献７に記載されたゼオライトの耐熱性は不明で、樹脂に練り込み加工した際の消臭性に関する記載はない。更に、特許文献８には、ゼオライトを含有する樹脂成形品が開示されているものの、ＶＯＣの消臭性に関する記載はない。
　
上記特許文献に記載されたゼオライトは、細孔径が数Åの多孔質体であるため同じような大きさのＶＯＣを吸着する能力があることは明らかであるが、樹脂に練り込み加工して使用された事例が少ない。
【０００６】
　本発明は上記問題点に鑑みてなされたものであって、その目的は、ＶＯＣの吸着性能が高く、樹脂に練り込み加工した場合でも消臭性を発現する消臭剤、及び、これを用いた消臭性加工品、並びに当該消臭剤の製造方法、及び、当該消臭性加工品の製造方法を提供することである。」
（ｂ）「【００１１】
（１）ゼオライト
　本発明の消臭剤が含むゼオライトは上記式〔１〕で示される化合物である。上記式〔１〕において、ｘで示されるＮａ２Ｏの比率は、０．５〜５．０であり、好ましくは０．７〜３．０である。・・・また、ＶＯＣの吸着性能の観点から、ｙで示されるＳｉＯ２の比率（ＳｉＯ２／Ａｌ２Ｏ３のモル比）は８０〜１５０であり、９０〜１３０であることが好ましく、より好ましくは９５〜１２０である。また、ＶＯＣの吸着性能と樹脂成型の際の発泡抑制などから、ｚで示されるＨ２Ｏの比率は１〜２０であり、より好ましくは３〜１５である。
・・・
【００１４】
　本発明に係る消臭剤の吸着対象はＶＯＣであり、沸点で０℃〜２６０℃程度の有機物である。具体的には、トルエン、・・・及びジアセチルなどが例示される。」
（ｃ）「【００１５】
（２）消臭剤の製造方法
　
本発明の消臭剤の製造方法は、ゼオライトを製造する製造工程（以下、単に「製造工程」ともいう。）と、製造工程で得られたゼオライトを１２０℃以上の温度で加熱し、式〔１〕で表されるゼオライトを得る加熱工程（以下、単に「加熱工程」ともいう。）と、をこの順に含む。
　以下、上記各工程について説明する。
【００１６】
〔製造工程〕
　本発明の消臭剤の製造方法は、ゼオライトを製造する製造工程を含む。
　
製造工程における、ゼオライトの製造方法は、公知の方法を用いることが可能である。
  ・・・
　また、
結晶化剤（構造規制剤）としては、ゼオライトを形成させるのに適した分子サイズと構造とを有するテトラプロピルアンモニウム塩、一般にはテトラプロピルアンモニウムブロマイドが用いられる。
・・・
【００２２】
〔加熱工程〕
　
本発明の消臭剤の製造方法は、製造工程で得られたゼオライトを１２０℃以上の温度で加熱し、式〔１〕で表されるゼオライトを得る加熱工程を含む。
　上記のように製造したゼオライトは、水熱工程を経て合成される疎水性の高い無機粉末であり、そのもの自体は高い耐熱性を有している。しかし、本発明のように加熱処理を行わないと、加工品が優れた消臭性能を発現しない。そのため、製造したゼオライトを使用前に１２０℃以上の温度で加熱処理する必要がある。・・・高温であるほど短時間でよいが、２５０℃以上高温にしても大幅な消臭効果の向上はみられないため、加熱温度は２５０℃以下でよい。
【００２３】
　ゼオライトを製造後、加熱処理により耐熱性が向上する理由は明らかではないが、
ゼオライト表面の微量水分や低分子化合物が減少することにより吸着活性が高まり、優れた消臭性能が発現すると考えられる。
・・・
【００２６】
３．消臭性加工品
　
本発明の消臭剤は、粉末又は顆粒でそのままカートリッジなどの容器に入れた最終消臭製品として使用でき、
更に、本発明の消臭剤は、以下に詳述するように樹脂、繊維、塗料又はシートなどに配合し、消臭性加工品を製造するために利用できる。
（イ）前記（ア）（ａ）によれば、本件発明は、従来の粉末状吸着剤は、アルデヒド系ガスに特化した吸着剤であり、２００℃程度に加熱することで吸着性能が低下し、更に変色するという問題があること、また、耐熱性に劣るため、樹脂への練り込み加工や高温に曝される用途においては十分な消臭性が得られないこと、更に、従来のゼオライトは、細孔径が数Åの多孔質体であるため同じような大きさのＶＯＣを吸着する能力があることは明らかであるが、樹脂に練り込み加工して使用された事例が少ないこと、といった課題（以下、「本件課題」という。）を解決するものである。 
  
（ウ）そして、前記（ア）（ｂ）、（ｃ）によれば、本件発明においては、公知の方法で製造されたゼオライトを１２０℃以上の温度で加熱することによって「式〔１〕」で示されるゼオライトを得るものであって、加熱によりゼオライト表面の微量水分や低分子化合物が減少することにより吸着活性が高まり、本件課題を解決できるものと考えられるものであり、本件発明の消臭剤は、粉末又は顆粒でそのままカートリッジなどの容器に入れた最終消臭製品として使用でき、更に、樹脂、繊維、塗料又はシートなどに配合し、消臭性加工品を製造するために利用できるものである。
（エ）前記（イ）、（ウ）によれば、本件特許明細書の記載に接した当業者は、公知の方法で製造されたゼオライトを１２０℃以上の温度で加熱したものであって、「式〔１〕」で示されるゼオライトを含む「揮発性有機物質用消臭剤」は、樹脂、繊維、塗料又はシートなどに配合した場合でも、細孔径が数Åの多孔質体である従来のゼオライトが吸着するのと同じような大きさのＶＯＣを吸着して、本件課題を解決できることを理解できるから、本件発明１において、ゼオライトの結晶骨格構造が特定されず、また、実施例で消臭効果が確認された揮発性有機物質がｎ−ブタン、キシレン及びアセトアルデヒドのみであるとしても、本件発明１により本件課題を解決できることを理解できるものである。
（オ）したがって、本件発明１は発明の詳細な説明に記載された発明というべきであり、このことは、本件発明２〜５についても同様であるから、本件特許に係る出願は、特許法第３６条第６項第１号の規定に適合する。
  
３　特許法第３６条第４項第１号（実施可能要件）について 
（１）「ｚ」について 
（ア）本件発明１の「式〔１〕」における「ｚ」の意味は明確であるので、本件発明１は明確であるというべきであり、このことは、本件発明２〜５についても同様であることは、前記１（ウ）に記載のとおりである。
（イ）そして、含水鉱物に含まれる水の量は、例えばＥＰＭＡにより、酸素の分析値から金属に結合する酸素の値を差し引いて求められるのであり、このことは本件特許の優先日における技術常識といえ、その場合、吸着水の量と結晶水の量とが合わせて求められると推認されることは、前記第２の２（２）（エ）に記載のとおりであるから、当業者は、「吸着水及び結晶水を含む前記ゼオライトに含まれる水の量を表」す「ｚ」は、例えばＥＰＭＡにより求められることを理解できるので、発明の詳細な説明は、当業者が本件発明１〜５に係る発明を容易に実施できるように記載されているというべきである。 
  
（２）構造規制剤について
（ア）本件特許明細書の【００５１】〜【００５６】（第２の２（２）（イ）（Ａ）参照。）によれば、比較例１、２のゼオライトは、水酸化ナトリウムとアルミン酸ナトリウムの混合水溶液と、コロイダルシリカゾル液をテトラプロピルアンモニウムブロマイドに滴下して調製した水性混合物を、オートクレーブ中で１７０℃で６０時間加熱することで合成されるものであり、実施例１及び２の消臭剤は、前記比較例１及び２のゼオライトを、各々１２０℃で６時間加熱して得られるものであり、実施例３及び４の消臭剤は、前記比較例１及び２のゼオライトを各々１８０℃で３時間加熱して得られるものであり、ここで、前記２（ア）（ｃ）によれば、テトラプロピルアンモニウムブロマイドは構造規制剤であって、実施例１〜４の消臭剤は、いずれも、構造規制剤を分解するために６００℃程度の高温で焼成したものとはいえない。
　そして、その場合、前記第５の３（２）（エ）の不合理は生じない。
（イ）また、本件特許明細書には、更に以下の記載がある。
（ｄ）「【００５７】
＜比較例６〜８＞
　比較例３〜５のゼオライトを１８０℃で３時間加熱し、比較例６〜８の消臭剤を得た。なお、加熱により粒度の変化は確認されなかった。
　比較例６：  １．１ＮＨ４・０．２Ｎａ２Ｏ・Ａｌ２Ｏ３・９７ＳｉＯ２・３Ｈ２Ｏ
　比較例７：  ２．６Ｎａ２Ｏ・Ａｌ２Ｏ３・４３ＳｉＯ２・１４Ｈ２Ｏ
　比較例８：  ０．９Ｎａ２Ｏ・Ａｌ２Ｏ３・２２２ＳｉＯ２・５Ｈ２Ｏ
　得られた消臭剤の消臭容量を表４に示す。
【００５８】
【表４】
【００５９】
＜実施例５〜８、比較例９〜１３＞
　実施例１の消臭剤２部をポリプロピレン（ＰＰ）樹脂１００部に配合し、２００℃で射出成型することにより厚さ２ｍｍのプレートを成形して評価した（実施例５）。実施例２〜４、及び比較例１〜４の消臭剤も前記同様にして評価した（実施例６〜８、比較例９〜１２）。また、消臭剤を配合しないものを比較例１３とした。なお、実施例６の分散剤は、ステアリン酸マグネシウム０．２部を配合した。結果を表５に示す。
・・・
【００６１】
＜実施例９〜１２、比較例１４〜１８＞
　実施例１の消臭剤２部をポリオレフィン系エラストマー１００部に配合し、２００℃で射出成型することにより厚さ２ｍｍのプレートを成形して評価した（実施例９）。実施例２〜４、及び比較例１〜４の消臭剤も前記同様にして評価した（実施例１０〜１２、比較例１４〜１７）。また、消臭剤を配合しないものを比較例１８とした。なお、実施例１０の分散剤は、ステアリン酸マグネシウム０．２部を配合した。結果を表６に示す。
・・・
【００６３】
　
実施例の消臭剤は、ＶＯＣの吸着性能が高く、しかも樹脂に配合して加工温度２００℃で加熱成形した加工品においても消臭効果が発現している。
　前記（ｄ）によれば、実施例１〜４の消臭剤は、比較例のものよりも優れたＶＯＣの吸着性能を有し、樹脂に配合して加工温度２００℃で加熱成形した加工品においても消臭効果が発現するものである。
（ウ）前記（イ）によれば、実施例１〜４の消臭剤は、優れた吸着性能を有し、樹脂に配合して加工温度２００℃で加熱成形した加工品においても消臭効果が発現するのであるから、実施例１〜４の消臭剤が、いずれも、構造規制剤を分解するために６００℃程度の高温で焼成したものとはいえないとしても、本件特許明細書の記載に接した当業者は、本件課題を解決する本件発明に係る消臭剤の製造方法を理解できると認められ、発明の詳細な説明は、当業者が本件発明１〜５に係る発明を容易に実施できるように記載されているというべきである。
（３）小括
　前記（１）、（２）によれば、発明の詳細な説明は、当業者が本件発明１〜５に係る発明を容易に実施できるように記載されているというべきであるから、本件特許に係る出願は、特許法第３６条第４項第１号の規定に適合する。
４　まとめ
　以上のとおりであるから、前記第５の１〜３の取消理由はいずれも理由がない。
第７　取消理由通知で採用しなかった異議申立理由についての判断
　前記第４の１（１）〜（４）の異議申立理由は、前記第５の１〜３の取消理由と実質的に同旨であって、前記第６の１〜３で検討したのと同様の理由により理由がないので、前記第４の２の異議申立理由について検討する。
１　特許法第２９条第１項第３号または第２項について
（１）甲第１号証の記載事項及び甲第１号証に記載される発明
　甲第１号証には以下の記載（１ａ）〜（１ｅ）がある。
（１ａ）「【特許請求の範囲】
【請求項１】
　下記要件（ａ）、（ｂ）および（ｃ）を充足する
プロピレン系ブロック共重合体（Ａ）と、前記プロピレン系ブロック共重合体（Ａ）１００重量部に対し、ＳｉＯ２／Ａｌ２Ｏ３モル比が１０〜６０であるゼオライト（Ｂ）０．０１〜０．４重量部とを含有するポリプロピレン系樹脂組成物。
要件（ａ）：プロピレン系ブロック共重合体（Ａ）は、重合体成分（Ｉ）および重合体成分（ＩＩ）を含むプロピレン系ブロック共重合体であり、重合体成分（Ｉ）は、１３５℃テトラリン中で測定される極限粘度（[η]I）が０．１〜１．５（ｄｌ／ｇ）であるプロピレン系重合体であり、重合体成分（ＩＩ）は、エチレンおよび炭素数４〜１２のα−オレフィンからなる群から選択される少なくとも１種のコモノマーに由来する単位と、プロピレンに由来する単位とを有する共重合体であって、１３５℃テトラリン中で測定される極限粘度（[η]II）が１〜２０（ｄｌ／ｇ）であるプロピレン系共重合体である。
要件（ｂ）：重合体成分（ＩＩ）の、エチレンおよび炭素数４〜１２のα−オレフィンからなる群から選択される少なくとも１種のコモノマーに由来する単位の含有量が、１〜８０重量％である。
要件（ｃ）：プロピレン系ブロック共重合体（Ａ）の重合体成分（ＩＩ）含有量が、５〜７０重量％である。」
（１ｂ）「【０００８】
　かかる状況の下、本発明の目的は、
ＶＯＣの放散が抑制され
（１ｃ）「【００４０】
　
本発明に用いられるゼオライト（Ｂ）は、
【００４１】
　ゼオライト（Ｂ）は、アルデヒド類等のＶＯＣを捕捉する効率の観点から、好ましくは一般式（Ｉ）ｘＭ２／ｎＯ・Ａｌ２Ｏ３・ｙＳｉＯ２・ｚＨ２Ｏ（式中、Ｍは周期律表のＩＡ及びＩＩＡ族元素を示し、ｎはＭの原子価を示し、ｘは０より大きい数を示し、ｙは２０〜６０であり、
ｚは該ゼオライトの結晶水の数で０〜７を示す。
（１ｄ）「【実施例】
【００９０】
以下、実施例および比較例によって本発明を説明する。実施例および比較例で使用したポリプロピレン樹脂、添加剤を下記に示した。
【００９１】
　（１）プロピレン系ブロック共重合体（成分（Ａ））
　プロピレン系ブロック共重合体（Ａ−１）は特開平７−２１６０１７号公報の実施例５に記載の方法によって得られる触媒を用いて、液相−気相重合法によって製造した。
・・・
【００９２】
　（２）ゼオライト（成分（Ｂ））
・・・
（Ｂ−６）シルトン［登録商標］ＭＴ-１００（水澤化学工業（株）製）
化学名：ソジウムアルミノシリケート
（一般名：ＺＳＭ−５型ゼオライト粉末）
化学式：Ｎａ２Ｏ・Ａｌ２Ｏ３・８０〜１２０ＳｉＯ２・ｎＨ２Ｏ
ＳｉＯ２／Ａｌ２Ｏ３モル比：１１０
Ｄ５０粒子径：３．９μｍ
・・・
【００９３】
　（３）添加剤（成分Ｃ）
（Ｃ−１）カルシウムステアレート：共同薬品（株）製
化学名：ステアリン酸カルシウム
分子量：６０７
・・・
【００９４】
（４）有機過酸化物（成分Ｄ）
（Ｄ−１）パーヘキサ［登録商標］２５Ｂ−１０：日本油脂（株）製
　１０％重量濃度の有機過酸化物と９０重量％のポリプロピレンパウダーの混合物」
（１ｅ）「【００９６】
  実施例１
・・・
［造粒（溶融混練、濾過）］
　
得られたプロピレン−（プロピレン−エチレン）ブロック共重合体（Ａ−１）のパウダー１００重量部、添加剤
ゼオライト（Ｂ−１）０．０５重量部、さらに、有機過酸化物
をミキサーで混合して、更に、得られた混合物を、単軸押出機（田辺プラスチックス（株）製、バレル内径：４０ｍｍ、スクリュー回転数：１００ｒｐｍ、シリンダー温度：２００〜２１０℃）を用いて溶融混練した。この溶融混練物を二軸混練機に移し、該混練機のダイ部入り口にセットした織金網フィルター（５０メッシュ、開き目：４１０μｍ）で濾過した後にダイ部より押し出した。この押出物を冷水により冷却固化、切断して、ポリプロピレン系樹脂組成物のペレットを得た。
（成形体の製造）
　
この得られたペレットを用いて射出成形体を作成し、
・・・
【０１０１】
　比較例５
　
０．０５重量部のゼオライト（Ｂ−１）の代わりに０．４重量部のゼオライト（Ｂ−６）を使用した以外は、実施例１と同様に行った。
・・・
【０１０６】
【表３】
　　　　　　　　　　　　　　　　　　　　　　」
（ア）前記（１ａ）によれば、甲第１号証には、プロピレン系ブロック共重合体と、前記プロピレン系ブロック共重合体１００重量部に対し、ＳｉＯ２／Ａｌ２Ｏ３モル比が１０〜６０であるゼオライト０．０１〜０．４重量部とを含有する「ポリプロピレン系樹脂組成物」が記載されている。
　そして、前記（１ｄ）のゼオライト（Ｂ−６）に注目すると、甲第１号証には以下の発明が記載されているといえる。
「シルトン［登録商標］ＭＴ-１００（水澤化学工業（株）製）
化学名：ソジウムアルミノシリケート
（一般名：ＺＳＭ−５型ゼオライト粉末）
化学式：Ｎａ２Ｏ・Ａｌ２Ｏ３・８０〜１２０ＳｉＯ２・ｎＨ２Ｏ
ＳｉＯ２／Ａｌ２Ｏ３モル比：１１０
Ｄ５０粒子径：３．９μｍ
のゼオライト（Ｂ−６）。」（以下、「甲１発明」という。）
　また、前記（１ｅ）の比較例５に注目すると、甲第１号証には以下の発明が記載されているといえる。
「プロピレン−（プロピレン−エチレン）ブロック共重合体のパウダー１００重量部、添加剤、甲１発明のゼオライト（Ｂ−６）０．４重量部、さらに、有機過酸化物をミキサーで混合して、得られた混合物を、単軸押出機（田辺プラスチックス（株）製、バレル内径：４０ｍｍ、スクリュー回転数：１００ｒｐｍ、シリンダー温度：２００〜２１０℃）を用いて溶融混練し、この溶融混練物を二軸混練機に移し、該混練機のダイ部入り口にセットした織金網フィルター（５０メッシュ、開き目：４１０μｍ）で濾過した後にダイ部より押し出し、この押出物を冷水により冷却固化、切断してペレットとした、ポリプロピレン系樹脂組成物。」（以下、「甲１’発明」という。）
「甲１’発明のポリプロピレン系樹脂組成物ペレットを用いて射出成形体とした、成形体。」（以下、「甲１’’発明」という。）
（イ）また、「ゼオライト（Ｂ−６）」がゼオライトを製造する製造工程により製造されることは明らかであるので、甲第１号証には、以下の発明が記載されているといえる。
「シルトン［登録商標］ＭＴ-１００（水澤化学工業（株）製）
化学名：ソジウムアルミノシリケート
（一般名：ＺＳＭ−５型ゼオライト粉末）
化学式：Ｎａ２Ｏ・Ａｌ２Ｏ３・８０〜１２０ＳｉＯ２・ｎＨ２Ｏ
ＳｉＯ２／Ａｌ２Ｏ３モル比：１１０
Ｄ５０粒子径：３．９μｍ
のゼオライト（Ｂ−６）を製造する製造工程を含む、ゼオライト（Ｂ−６）の製造方法。」（以下、「甲１’’’発明」という。）
　更に、甲第１号証には、以下の発明が記載されているといえる。
「プロピレン−（プロピレン−エチレン）ブロック共重合体のパウダー１００重量部、添加剤、
シルトン［登録商標］ＭＴ-１００（水澤化学工業（株）製）
化学名：ソジウムアルミノシリケート
（一般名：ＺＳＭ−５型ゼオライト粉末）
化学式：Ｎａ２Ｏ・Ａｌ２Ｏ３・８０〜１２０ＳｉＯ２・ｎＨ２Ｏ
ＳｉＯ２／Ａｌ２Ｏ３モル比：１１０
Ｄ５０粒子径：３．９μｍ
のゼオライト（Ｂ−６）０．４重量部、さらに、有機過酸化物をミキサーで混合して、得られた混合物を、単軸押出機（田辺プラスチックス（株）製、バレル内径：４０ｍｍ、スクリュー回転数：１００ｒｐｍ、シリンダー温度：２００〜２１０℃）を用いて溶融混練し、この溶融混練物を二軸混練機に移し、該混練機のダイ部入り口にセットした織金網フィルター（５０メッシュ、開き目：４１０μｍ）で濾過した後にダイ部より押し出し、この押出物を冷水により冷却固化、切断して、ポリプロピレン系樹脂組成物のペレットを得た後、この得られたペレットを用いて射出成形体を作成する、成形体の製造方法。」（以下、「甲１’’’’発明」という。）
（２）対比・判断
（２−１）本件発明１について
ア　対比
（ア）本件発明１と甲１発明とを対比すると、甲１発明の「ゼオライト（Ｂ−６）」は、本件発明１の「ゼオライト」に相当する。
　また、前記（１）（１ｂ）によれば、甲１発明の「ゼオライト（Ｂ−６）」は、ＶＯＣの放散を抑制しようとするものであるから、「揮発性有機物質用消臭剤」として使用されるものである。
（イ）すると、本件発明１と甲１発明とは、「ゼオライトを含む揮発性有機物質用消臭剤。」の点で一致し、以下の点で相違する。
相違点１：本件発明１は、「ゼオライト」が「下記式〔１〕で示されるゼオライト
ｘＮａ２Ｏ・Ａｌ２Ｏ３・ｙＳｉＯ２・ｚＨ２Ｏ     〔１〕
　式〔１〕中、ｘは０．５〜５．０の正数であり、ｙは９５〜１２０の正数であり、ｚは吸着水及び結晶水を含む前記ゼオライトに含まれる水の量を表し、かつ１〜２０の正数である。」である、との発明特定事項を有するのに対して、
甲１発明は、「ゼオライト」が
「シルトン［登録商標］ＭＴ-１００（水澤化学工業（株）製）
化学名：ソジウムアルミノシリケート
（一般名：ＺＳＭ−５型ゼオライト粉末）
化学式：Ｎａ２Ｏ・Ａｌ２Ｏ３・８０〜１２０ＳｉＯ２・ｎＨ２Ｏ
ＳｉＯ２／Ａｌ２Ｏ３モル比：１１０
Ｄ５０粒子径：３．９μｍ」
のものである点。
相違点２：本件発明１は、「沸点が０℃〜２６０℃である揮発性有機物質用消臭剤」との発明特定事項を有するのに対して、甲１発明は前記発明特定事項を有するか否か明らかでない点。
イ　判断
（ア）まず、前記ア（イ）の相違点１について検討すると、甲１発明の「ゼオライト」の「化学式」は、「Ｎａ２Ｏ・Ａｌ２Ｏ３・８０〜１２０ＳｉＯ２・ｎＨ２Ｏ」であって、「ｘＮａ２Ｏ」の「ｘ」は１であり、「ｙＳｉＯ２」の「ｙ」は８０〜１２０であるから、本件発明１の「式〔１〕」と対比した場合、「ｘは０．５〜５．０の正数であり、ｙは９５〜１２０の正数であ」る点で合致するので、甲１発明の「化学式」の「ｎＨ２Ｏ」の「ｎ」が、本件発明１の「ｚは吸着水及び結晶水を含む前記ゼオライトに含まれる水の量を表し、かつ１〜２０の正数である。」ことに合致するか否かについて検討する。
（イ）ここで、前記（１）（１ｃ）によれば、甲第１号証の実施例に係る「ゼオライト」は、アルデヒド類等のＶＯＣを捕捉する効率の観点から、好ましくは一般式（Ｉ）ｘＭ２／ｎＯ・Ａｌ２Ｏ３・ｙＳｉＯ２・ｚＨ２Ｏ（式中、Ｍは周期律表のＩＡ及びＩＩＡ族元素を示し、ｎはＭの原子価を示し、ｘは０より大きい数を示し、ｙは２０〜６０であり、ｚは該ゼオライトの結晶水の数で０〜７を示す。）で表される「ゼオライト」である。
　ところが、前記（１）（１ｃ）の記載は、甲第１号証の実施例に係る「ゼオライト」に関するものであるのに対して、甲１発明の「ゼオライト」は比較例５のものであり、前記（１）（１ｃ）の記載事項がそのまま甲１発明にあてはまるものではないので、前記（１）（１ｃ）の「ｚ」が０〜７であるとしても、前記「ｎ」が０〜７であるとはいえない。
　また、前記（１）（１ｃ）の「ｚ」は「ゼオライト」の結晶水の数をいうのに対して、本件発明１の「式〔１〕」の「ｚ」は「吸着水及び結晶水を含む前記ゼオライトに含まれる水の量を表」すものであり、前記（１）（１ｃ）の「ｚ」と本件発明１の「式〔１〕」の「ｚ」とは、含まれる水の種類が異なっているので、仮に、前記「ｎ」が、前記（１）（１ｃ）の「ｚ」と同様に０〜７であるとしても、本件発明１の「ｚは吸着水及び結晶水を含む前記ゼオライトに含まれる水の量を表し、かつ１〜２０の正数である。」ことに合致するか否かは明らかでない。
　そうすると、甲１発明が、前記相違点１に係る発明特定事項を有するものとはいえないので、そのほかの相違点について検討するまでもなく、本件発明１が甲１発明であるとはいえない。
（２−２）本件発明２、３について
（ア）本件発明２と甲１’発明とを対比すると、甲１’発明の「ポリプロピレン系樹脂組成物」は、本件発明２の「消臭剤組成物」に相当し、本件発明２は、本件発明１を引用するものであって、前記（２−１）アと同様の理由により、本件発明２と甲１’発明とは、少なくとも前記（２−１）アの相違点１の点で相違する。
　そして、甲１発明が、前記相違点１に係る発明特定事項を有するものとはいえないことは、前記（２−１）イ（イ）に記載のとおりであるから、本件発明２が甲１’発明であるとはいえない。
　更に、甲第２号証には、前記相違点１に係る発明特定事項について記載も示唆もされるものではないから、本件発明２は、甲１’発明及び甲第２号証の記載事項に基づいて当業者が容易に発明をすることができたものとはいえない。
（イ）本件発明３と甲１’’発明とを対比すると、甲１’’発明の「成形体」は、本件発明３の「消臭剤加工品」に相当し、本件発明３は、本件発明１を引用するものであって、前記（２−１）アと同様の理由により、本件発明３と甲１’’発明とは、少なくとも前記（２−１）アの相違点１の点で相違する。
　そして、前記（ア）に記載したのと同様の理由により、本件発明３が甲１’’発明であるとはいえないし、甲１’’発明及び甲第２号証の記載事項に基づいて当業者が容易に発明をすることができたものとはいえない
（２−３）本件発明４、５について
（ア）本件発明４と甲１’’’発明とを対比すると、甲１’’’発明の「ゼオライト（Ｂ−６）の製造方法」は、本件発明４の「揮発性有機物質用消臭剤の製造方法」に相当する。
　ここで、本件発明４は、「式〔１〕で示されるゼオライト」を得る工程を含むものである一方、甲１’’’発明は、「ゼオライト（Ｂ−６）の製造方法」に係るものであり、前記（２−１）アと同様の理由により、本件発明４と甲１’’’発明とは、少なくとも前記（２−１）ア（イ）の相違点１と同じ点で相違する。
　そして、甲１発明が前記相違点１に係る発明特定事項を有するものとはいえないことは、前記（２−１）イ（イ）に記載のとおりであり、同様の理由により、甲１’’’発明も、前記相違点１に係る発明特定事項を有するものとはいえないので、本件発明４が甲１’’’発明であるとはいえない。
（イ）本件発明５と甲１’’’’発明とを対比すると、甲１’’’’発明の「成形体の製造方法」は、本件発明５の「消臭性加工品の製造方法」に相当する。
　ここで、本件発明５は、「式〔１〕で示されるゼオライト」を用いるものである一方、甲１’’’’発明は、「ゼオライト（Ｂ−６）」を用いるものであり、前記（２−１）（ア）と同様の理由により、本件発明５と甲１’’’’発明とは、少なくとも前記（２−１）アの相違点１と同じ点で相違するが、前記（ア）と同様の理由により、本件発明５が甲１’’’’発明であるとはいえない。
２　まとめ
　したがって、前記第４の２の申立理由はいずれも理由がない。
第８　むすび 
　以上のとおり、異議申立書に記載された申立理由及び取消理由通知書で通知された取消理由によっては、本件発明１〜５に係る特許を取り消すことはできない。 
　また、他に本件発明１〜５に係る特許を取り消すべき理由を発見しない。 
　よって、結論のとおり決定する。
【異議決定日】
令和２年２月２８日（２０２０．２．２８）
【訂正の要旨】
審決（決定）の【理由】欄参照。
（５７）【特許請求の範囲】
　【請求項１】
　下記式〔１〕で示されるゼオライトを含むことを特徴とする
沸点が０℃〜２６０℃である
　ｘＮａ２Ｏ・Ａｌ２Ｏ３・ｙＳｉＯ２・ｚＨ２Ｏ　　〔１〕
　式〔１〕中、ｘは０．５〜５．０の正数であり、ｙは９５〜１２０の正数であり、ｚは
吸着水及び結晶水を含む前記ゼオライトに含まれる水の量を表し、かつ
　【請求項２】
　請求項１に記載の揮発性有機物質用消臭剤と、塩基性ガス消臭剤及び硫黄性ガス消臭剤の少なくとも一方とを含有する消臭剤組成物。
　【請求項３】
　請求項１に記載の揮発性有機物質用消臭剤を含む消臭性加工品。
　【請求項４】
　ゼオライトを製造する製造工程と、
　製造工程で得られたゼオライトを１２０℃から２５０℃の温度で加熱し、式〔１〕で表されるゼオライトを得る加熱工程と、をこの順に含むことを特徴とする
沸点が０℃〜２６０℃である
　ｘＮａ２Ｏ・Ａｌ２Ｏ３・ｙＳｉＯ２・ｚＨ２Ｏ　　〔１〕
　式〔１〕中、ｘは０．５〜５．０の正数であり、ｙは９５〜１２０の正数であり、ｚは
吸着水及び結晶水を含む前記ゼオライトに含まれる水の量を表し、かつ
　【請求項５】
　式〔１〕で示されるゼオライトを製造後、加工前に該ゼオライトを１２０℃から２５０℃の温度で加熱処理して、樹脂、繊維、塗料又はシートに配合することを特徴とする消臭性加工品の製造方法。
　ｘＮａ２Ｏ・Ａｌ２Ｏ３・ｙＳｉＯ２・ｚＨ２Ｏ　　〔１〕
　式〔１〕中、ｘは０．５〜５．０の正数であり、ｙは９５〜１２０の正数であり、ｚは吸着水及び結晶水を含む前記ゼオライトに含まれる水の量を表し、かつ１〜２０の正数である。